(57)【要約】【課題】貼付票から伝票を破かずに切り離すことと、髭残りをなくして搬送トラブルを防止すること。【解決手段】貼付票１３の内側領域にハーフカット１８を介して隣接した配達票１４と受領票１５を縦に並べて配置し、配達票１４の角部に形成するコーナーカット１９が三角形の一辺を湾曲させた湾曲部１９ａとハーフカット１８の横ラインに直交する直線部１９ｂを有する形状となるようにする。【選択図】図１
0003128043.tif 000002
【実用新案登録請求の範囲】
【請求項１】
台紙と上紙の２枚の紙で構成され、台紙の縁部に沿って設けられた剥離層に上紙の縁部に沿って設けられた粘着層を対向させて重ね合わせることによって台紙と上紙が剥離可能に接着された貼付票と、貼付票から切り離し可能に設けられた互いに隣接する２つ以上の伝票とを備えてなり、少なくとも隣接する伝票の角部をカットして形成されるコーナーカットが伝票どうしの境界線に直交する直線部を有することを特徴とする配送伝票。
【請求項２】
台紙と上紙の２枚の紙で構成され、台紙の縁部に沿って設けられた剥離層に上紙の縁部に沿って設けられた粘着層を対向させて重ね合わせることによって台紙と上紙が剥離可能に接着された貼付票と、貼付票から切り離し可能に設けられた互いに隣接する２つ以上の伝票とを備えてなり、少なくとも隣接する伝票の角部をカットして形成されるコーナーカットが伝票どうしの境界線に交わる曲線部を有することを特徴とする配送伝票。
【考案の詳細な説明】
【技術分野】
【０００１】
本考案は、商品の配送業務で使用される配送伝票に関する。
【背景技術】
【０００２】
従来、例えば通信販売、運送、流通などの各業界において商品を配送する場合、商品を梱包したケースに配送伝票を貼り付けて商品の流れを管理している。
【０００３】
図６は従来の配送伝票の一例を示したものである。この配送伝票６０は上紙６１と台紙６２の２枚の紙で構成されており、上紙６１の縁部に沿って設けられた粘着層６３によってケース等の被着体に貼り付けることができる。また、貼付票６４の内側には配達票６５と受領票６６がミシン目６７を介して切り離し可能に設けられている。そして、配達員が商品を配達し終えると貼付票６４から配達票６５と受領票６６を切り離し、受領票６６に受取人の捺印又はサインをもらい、配達票６５と受領票６６を配達店に持ち帰って管理するようにしている。
【０００４】
この配送伝票６０には、配達先での作業性を考慮して配達票６５と受領票６６の角部をカットしたコーナーカット６８を設けることにより、これらの伝票の端部をつまんで剥がし易くしてある。このコーナーカット６８は一般に上紙６１の所定位置に図のような三角形の一辺を湾曲させた形状のカット刃で型抜きすることにより形成され、その後台紙６２と上紙６１を重ねて貼り合わせ、最後に上紙６１のみをカットするハーフカット加工によりミシン目６７を形成している。
【０００５】
このようにコーナーカット付きの配送伝票６０を製造する場合には、コーナーカット６８のカット加工とミシン目６７のハーフカット加工が別々の工程で行われる。このため、ミシン目６７のカット刃をコーナーカット６８の角部に正確に位置合わせすることが難しく、コーナーカット６８とミシン目６７がずれて形成されることがある。
【０００６】
例えば、図６に示したように配達票６５と受領票６６を縦に並べて配置した配送伝票６０において、ミシン目６７の縦ラインは正確に位置合わせできたとしても、ミシン目６７の横ラインがコーナーカット６８の角部よりも下方へとずれることがある。この場合、配達票６５や受領票６６の端部をつまんで剥がそうとすると、ミシン目６７に従って切り取りができず、コーナーカット６８の角部（図中Ｂで示す）を起点にして伝票が破れてしまうという問題がある。そこで、この下方へのずれを避けるため、通常はハーフカット加工の誤差をあらかじめ見込んでおき、ミシン目６７がコーナーカット６８の角部よりも上方へとずれるように加工する傾向がある。
【０００７】
図７は図６のものと同じように配達票７５と受領票７６を縦に並べて配置した配送伝票７０において、ミシン目７７の横ラインをコーナーカット７８の角部よりも上方へとずらして加工した例を示す。ところが、この場合には配達票７５の下に配置された受領票７６の上縁部（図中Ｂで示す）に、図示したような鋭角な髭状の切れ端、いわゆる髭部７９が残ってしまう。この髭部７９があると、剥がした後の受領票７６をＯＣＲ装置等で機械読み取りする際に髭部７９がローラに引っ掛かり、紙詰まり等の搬送トラブルを招くという問題があった。
【０００８】
上記のような髭残り現象は、ケースに貼り付けられたまま残る貼付票に発生する場合には特に問題とはならないが、貼付票から切り離して機械読み取りする伝票に発生する場合に問題となる。また、このような問題は例えばミシン目の縦ラインがコーナーカットの角部よりも左側にずれた場合や、伝票を横に並べて配置した場合についても同様に起こり得る。
【０００９】
なお、下記の特許文献１には、図６や図７に示したコーナーカットと同様な形状のコーナーカットを設けた配送伝票が開示されている。
【００１０】
【特許文献１】実用新案登録第３１１２４２３号公報（図１、図５における符号２５を参照）
【考案の開示】
【考案が解決しようとする課題】
【００１１】
本考案は以上のような問題を解決するためになされたものであり、その目的とするところは、コーナーカットを設けた配送伝票において、貼付票から切り離される伝票を破くことなく、しかも髭残り現象をなくして搬送トラブルを防止することにある。
【課題を解決するための手段】
【００１２】
上記の目的を達成するため、本考案に係る配送伝票は、台紙と上紙の２枚の紙で構成され、台紙の縁部に沿って設けられた剥離層に上紙の縁部に沿って設けられた粘着層を対向させて重ね合わせることによって台紙と上紙が剥離可能に接着された貼付票と、貼付票から切り離し可能に設けられた互いに隣接する２つ以上の伝票とを備えてなり、少なくとも隣接する伝票の角部をカットして形成されるコーナーカットが伝票どうしの境界線に直交する直線部を有することを特徴とする。
【００１３】
また、本考案に係る配送伝票は、台紙と上紙の２枚の紙で構成され、台紙の縁部に沿って設けられた剥離層に上紙の縁部に沿って設けられた粘着層を対向させて重ね合わせることによって台紙と上紙が剥離可能に接着された貼付票と、貼付票から切り離し可能に設けられた互いに隣接する２つ以上の伝票とを備えてなり、少なくとも隣接する伝票の角部をカットして形成されるコーナーカットが伝票どうしの境界線に交わる曲線部を有することを特徴とする。
【考案の効果】
【００１４】
本考案に係る配送伝票によれば、少なくとも隣接する伝票のコーナーカットが伝票どうしの境界線に直交する直線部や曲線部を有する形状になっているので、コーナーカットの角部を起点にして伝票が破れてしまうことがなく伝票を正確に切り離すことができるとともに、貼付票から切り離した伝票に髭残り現象が発生せず、ＯＣＲ装置により機械読み取りする際に搬送トラブルを防止できるという効果がある。
【考案を実施するための最良の形態】
【００１５】
以下、本考案の実施形態について、添付図面を参照しながら説明する。
【００１６】
図１は本考案に係る配送伝票の一実施例を示す外観図、図２は同配送伝票における上紙と台紙の構成を示す平面図、図３は同配送伝票の使用方法を示す説明図、図４と図５は本考案に係る配送伝票の変形例を示す外観図である。
【００１７】
図１に示すように、この配送伝票１０は通信販売業者や運送業者等が配送業務で使用されるものであり、上紙１１と台紙１２の２枚の上質紙を重ねて貼り合わせることによって表裏面に汎用のプリンタ、例えばレーザービームプリンタやインクジェットプリンタ等による印字が可能になっている。また、この配送伝票１０には同図のように貼付票１３と２つの伝票（配達票１４と受領票１５）が上紙１１の同一面に設定されている。
【００１８】
上紙１１にはその周縁３辺に沿って貼付票１３が配置されており、貼付票１３の内側領域に切り取り用のハーフカット１８で囲まれた伝票が縦に並べて配置されている。本実施例では、配達票１４と受領票１５の２つの伝票がハーフカット１８の横ラインを介して切り離し可能に区画されている。
【００１９】
図２に示すように、上紙１１の裏面には貼付票１３の領域に限定して粘着剤を塗布した粘着層１６が設けられており、配達票１４と受領票１５の領域には剥離剤を塗布した剥離層２１が設けられている。なお、切り離した後の配達票１４と受領票１５に粘着剤が付着しているとＯＣＲ装置等による機械読み取りの際に支障を来たすので、これらの伝票の周囲には粘着剤を塗布しない僅かな余白を設けてある。
【００２０】
一方、台紙１２には貼付票１３に対応する領域、つまり周縁３辺に沿って剥離剤を塗布した剥離層１７が設けられており、配達票１４と受領票１５に対応する領域には粘着剤を点糊等により部分塗布した弱粘着層２２が設けられている。また、これに替えて、粘着剤を全面塗布した上から糊殺し印刷等で粘着力を弱めることによって弱粘着層２２を形成してもよい。さらに、配達票１４と受領票１５を囲むようにして台紙１３のみをカットしたハーフカット２３が設けられている。台紙１２は使用時まで上紙裏面の粘着層１６を保護するための剥離紙として機能する。
【００２１】
上記の構成からなる台紙１２の上に上紙１１を重ねて貼り合わせることによって、貼付票１３の位置では上紙裏面の粘着層１６とこれに対向する台紙表面の剥離層１７とが接触し、その境界面を介して上紙１１と台紙１２が剥離可能に接着されている。これに対し、配達票１４と受領票１５の位置では、上紙裏面の剥離層２１と台紙表面の弱粘着層２２とが接触しているので、その境界面を介して上紙１１と台紙１２が剥離可能に弱接着された状態になっている。
【００２２】
ところで、本考案の配送伝票１０においても、貼付票１３から伝票を剥がし易くする目的で、配達票１４と受領票１５の角部をそれぞれ一箇所ずつカット加工したコーナーカット１９が形成されている。そして、このコーナーカット１９は少なくとも隣接する伝票の角部、つまり図１の例でいえば、隣接する配達票１４と受領票１５のうち配達票１４の角部に形成されたコーナーカット１９が一般的なコーナーカットとは異なる特殊な形状になっている。
【００２３】
図１（ｂ）に拡大して示すように、このコーナーカット１９は、三角形の一辺を湾曲させた湾曲部１９ａを有し、かつ、配達票１４と受領票１５の境界線であるハーフカット１８の横ラインに直交する直線部１９ｂを有する形状になっている。また、ハーフカット１８のカット加工の誤差によりハーフカット１８の横ラインがコーナーカット１９の上下いずれかの方向にずれた場合を見込んで、ハーフカット１８の横ラインが確実に交差するようにするために直線部１９ｂは少なくとも１ｍｍ以上の長さに設定するのが好ましい。そして、このコーナーカット１９を形成した後、上紙１１に粘着剤を塗布して粘着層１６を形成するとともに台紙１２に剥離剤を塗布して剥離層１７を形成し、台紙１２と上紙１１を重ねて貼り合わせ、最後に上紙１１のみをカットすることによりハーフカット１８が形成される。
【００２４】
また、このような形状のコーナーカット１９によると、配達票１４の左端に髭部が発生しないようにするために、図１（ｃ）に示すようにハーフカット１８の縦ラインの位置を意図的に右側へとずらして加工することも可能である。
【００２５】
なお、受領票１５の角部に形成されたコーナーカット１９の形状も同様な形状になっているが、このコーナーカット１９は受領票１５と貼付票１３との境界に設けられるものであるから、従来の一般的なコーナーカットのように三角形の一辺を湾曲させた形状であっても構わない。
【００２６】
本考案の配送伝票は以上のように構成されており、以下にその使用方法を説明する。
【００２７】
配達業者はまず所定事項が印刷された配送伝票１０から台紙１２の周縁部分のみを剥がし取り、剥がし取った配送伝票１０を商品梱包済みのケースに貼り付ける。このとき、裏面に露出した粘着層１６を介して貼り付けることにより、貼付票１３と配達票１４及び受領票１５からなる伝票が表側に現れて配達先等の情報を確認できる。
【００２８】
そして、商品の配達時には、まず図３（ａ）に示すようにして貼付票１３から配達票１４を切り離す。配達票１４にはコーナーカット１９が形成されているので、配達票１４の端部を指でつまみ易くなっている。また、コーナーカット１９の右端はハーフカット１８の横ラインに直交する直線部１９ｂになっており、ハーフカット１８から確実に切り取り始めることができるので、図６のようにコーナーカット１９の角部を起点にして配達票１４が破れてしまうことがない。したがって、配達票１４をハーフカット１８に従って正確に切り離すことができる。
【００２９】
次いで、図３（ｂ）に示すようにして貼付票１３から受領票１５を切り離し、商品を受取人に手渡す。ここでも、受領票１５には配達票１４と同様のコーナーカット１９が形成されているので、受領票１５の端部を指でつまみ易く、かつ受領票１５をハーフカット１８に従って正確に切り離すことができる。そして、切り離した受領票１５に受取人の捺印またはサインをもらい、それを配達記録として配達票１４とともに配達店に持ち帰る。
【００３０】
配達店では、持ち帰った配達票１４と受領票１５をＯＣＲ装置で機械読み取りして管理することになるが、本実施例においてこれらの伝票には図７のような髭残り現象が発生しないのでＯＣＲ装置における搬送トラブルを防止することができる。すなわち、図３に示すように、配達票１４と受領票１５のコーナーカット１９はそれぞれ湾曲部１９ａと直線部１９ｂからなり、直線部１９ｂが各伝票の端部に対して直交している。このため、配達票１４と受領票１５には鋭角な部分が一切なくなり、ＯＣＲ装置のローラに引っ掛かることはない。したがって、装置内で紙詰まりが起こらず、安定した搬送が可能になる。
【００３１】
なお、配達票１４と受領票１５に形成したコーナーカットは図４に示すような形状であってもよい。同図に示す配送伝票１０において、配達票１４と受領票１５のコーナーカット１９はそれぞれ三角形の一辺を湾曲させた湾曲部１９ａを有するとともに、ハーフカット１８の横ラインに交わる曲線部１９ｃを有する形状になっている。また、曲線部１９ｃは上記と同様の理由から１ｍｍ以上の長さに設定するのがよい。この構造の場合にも、貼付票１３から切り離した配達票１４と受領票１５の縁部には図７のような髭残り現象が発生しないので、ＯＣＲ装置における搬送トラブルを防止できる。
【００３２】
さらに、上述した例はいずれも上紙１１の周縁３辺に沿って貼付票１３を配置し、貼付票１３の内側領域に配達票１４と受領票１５を縦に並べて配置しているが、図５に示すように配達票１４と受領票１５を横に並べて配置してあってもよい。
【００３３】
同図に示す配送伝票１０においては、上紙１１の周縁すべてを取り囲むようにして貼付票１３を配置し、その貼付票１３の内側領域にハーフカット１８で囲まれた配達票１４と受領票１５がハーフカット１８の縦ラインを介して切り離し可能に区画されている。そして、配達票１４と受領票１５のコーナーカット１９は台形の一方の斜辺を湾曲させた湾曲部１９ａを有し、かつ、台形の上底がハーフカット１８の縦ラインに直交する直線部１９ｂになっている。なお、直線部１９ｂの部分を図４に示したような曲線部１９ｃにしてもよい。この構造の場合にも、貼付票１３から切り離した配達票１４と受領票１５の縁部には、搬送トラブルの原因となる髭残り現象が発生しない。
【００３４】
以上説明したように、本考案の配送伝票１０によれば、少なくとも隣接する伝票のコーナーカット１９が伝票どうしの境界線に直交する直線部１９ｂや曲線部１９ｃを有する形状になっているので、貼付票１３から切り離した伝票に髭残り現象が発生せず、ＯＣＲ装置における搬送トラブルを防止できるという効果がある。なお、上述した実施例において伝票を区画するハーフカット１８をミシン目に替えてもよいが、伝票の切り口に凹凸があるとＯＣＲ装置の搬送に支障を来たすことも考えられるので、ハーフカットのように連続した切り口の方が望ましい。また、上述した実施例では伝票の構成を配達票１４と受領票１５の２連式にしたが、これに替えて、配達票１４と受領票１５と領収票の３連式や、あるいはその他の伝票を連接して４連式以上にすることも可能である。
【図面の簡単な説明】
【００３５】
【図１】本考案に係る配送伝票の一実施例を示す図であり、（ａ）は配送伝票を表側から見た外観図、（ｂ）はＡ部拡大図、（ｃ）はハーフカットの位置を意図的にずらした例を示す拡大図である。
【図２】図１の配送伝票の構成を示す図であり、（ａ）は上紙を裏面側から見た平面図、（ｂ）は台紙を表面側から見た平面図である。
【図３】図１の配送伝票の使用方法を示す説明図であり、（ａ）は配達票を切り離すときの状態、（ｂ）は受領票を切り離すときの状態、（ｃ）は切り離した配達票と受領票を示す図である。
【図４】本考案に係る配送伝票の変形例を示す図であり、（ａ）は配送伝票を表側から見た外観図、（ｂ）はＡ部拡大図である。
【図５】本考案に係る配送伝票の変形例を示す図であり、（ａ）は配送伝票を表側から見た外観図、（ｂ）はＡ部拡大図である。
【図６】従来の配送伝票の一例を示す図であり、（ａ）は配送伝票を表側から見た外観図、（ｂ）はＡ部拡大図である。
【図７】従来の配送伝票の他の例を示す図であり、（ａ）は配送伝票を表側から見た外観図、（ｂ）はＡ部拡大図である。
【符号の説明】
【００３６】
１０  配送伝票
１１  上紙
１２  台紙
１３  貼付票
１４  配達票
１５  受領票
１６  粘着層
１７  剥離層
１８  ハーフカット
１９  コーナーカット
１９ａ  湾曲部
１９ｂ  直線部
１９ｃ  曲線部
２１  剥離層
２２  弱粘着層
２３  ハーフカット
【図１】
0003128043.tif 000003
【図２】
0003128043.tif 000004
【図３】
0003128043.tif 000005
【図４】
0003128043.tif 000006
【図５】
0003128043.tif 000007
【図６】
0003128043.tif 000008
【図７】
0003128043.tif 000009